(57)【要約】【課題】トレーニング効果を高め、リハビリテーションにも利用可能なコンプレッションウェアを提供する。【解決手段】コンプレッションウェア（１）は、本体部（４）と、本体部（４）よりも摩擦係数及び緊締力が大きい摩擦部（５）とを有する。摩擦部（５）が、着用者の肩から肘にかけての部分や、膝を覆う。関節を動かすとその周囲の皮膚は伸展するが、摩擦部（５）に覆われているとその摩擦力によって皮膚の伸展が妨げられる。そのため、摩擦部（５）に覆われた関節を動かすには、通常よりも大きな力が必要なり、トレーニング効果が高まり、また、リハビリテーション効果を得られる。【選択図】図１
2019157287.tif 000002
【特許請求の範囲】
【請求項１】
本体部と、前記本体部よりも静摩擦係数及び緊締力が大きい摩擦部とを有し、
着用者に着用された時に、前記摩擦部が、前記着用者の少なくとも１つの関節を少なくとも部分的に覆うように構成されたことを特徴とするコンプレッションウェア。
【請求項２】
前記摩擦部の静摩擦係数が、静摩擦係数が最も高い方向において、前記本体部の静摩擦係数の１．２倍以上であり、
前記摩擦部の伸び率が、伸び率が最も低い方向において、前記本体部の伸び率の０．１倍〜０．８倍であることを特徴とする請求項１に記載のコンプレッションウェア。
【請求項３】
当該コンプレッションウェアは、前記本体部よりも緊締力が大きく、前記摩擦部よりも静摩擦係数が小さい緊締部を更に有する上衣であり、
前記少なくとも１つの関節は、前記摩擦部に上部から外側部にかけての部位の少なくとも一部が覆われた肩関節を含み、
前記着用者に着用された時に、前記緊締部が、前記肩関節を覆う前記摩擦部に連結するように前記着用者の肩甲骨の少なくとも一部を覆うとともに、左右の前記肩甲骨間の少なくとも一部を覆うように構成されたことを特徴とする請求項１又は２に記載のコンプレッションウェア。
【請求項４】
伸び率が最も低い方向において、前記緊締部の伸び率が、前記本体部の伸び率の０．０５倍〜０．４倍であることを特徴とする請求項３に記載のコンプレッションウェア。
【請求項５】
当該コンプレッションウェアは上衣であり、
前記少なくとも１つの関節は、前記摩擦部に上部から外側部にかけての部位の少なくとも一部が覆われた肩関節を含み、
更に、前記摩擦部が、前記肩関節を覆う前記摩擦部に連結するように前記着用者の肩甲骨の少なくとも一部を覆うとともに、左右の前記肩甲骨間の少なくとも一部を覆うように構成されたことを特徴とする請求項１又は２に記載のコンプレッションウェア。
【請求項６】
当該コンプレッションウェアは下衣であり、
前記摩擦部が、前記着用者の膝関節の前面及び／又は股関節の後面の少なくとも一部を覆うように構成されたことを特徴とする請求項１又は２に記載のコンプレッションウェア。
【発明の詳細な説明】
【技術分野】
【０００１】
本開示は、着用者に少なくとも部分的に密着するように構成されたコンプレッションウェアに関する。
【背景技術】
【０００２】
着用者に密着するコンプレッションウェアには、着用者の姿勢を好ましい状態に誘導するもの、運動を補助するもの、トレーニング効果を高めるもの等がある。例えば、特許文献１には、運動時に広い範囲で大きく伸びる部分に、上下、斜め及び左右方向に沿って周囲の生地よりも緊締力の大きいテーピング生地を配置したトレーニングインナーウェアが記載されている。
【先行技術文献】
【特許文献】
【０００３】
【特許文献１】特開２０１４−１０９０７７号公報
【発明の概要】
【発明が解決しようとする課題】
【０００４】
特許文献１に記載のウェアのように、運動を妨げる方向に緊締力が作用するコンプレッションウェアは、筋肉を動かすための力が通常よりも大きいため、着用者のトレーニング効果を高める。更にトレーニング効果が高く、また、リハビリテーションに利用可能なコンプレッションウェアの開発が望まれていた。
【０００５】
このような状況を鑑み、本発明は、トレーニング効果を更に高め、リハビリテーションにも利用可能なコンプレッションウェアを提供することを目的とする。
【課題を解決するための手段】
【０００６】
本発明の少なくともいくつかの実施形態に係るコンプレッションウェア（１）は、本体部（４）と、前記本体部よりも静摩擦係数及び緊締力が大きい摩擦部（５）とを有し、着用者に着用された時に、前記摩擦部が、前記着用者の少なくとも１つの関節を少なくとも部分的に覆うように構成されたことを特徴とする。前記摩擦部の静摩擦係数が、静摩擦係数が最も高い方向において、前記本体部の静摩擦係数の１．２倍以上であり、前記摩擦部の伸び率が、伸び率が最も低い方向において、前記本体部の伸び率の１０％〜８０％であることが好ましい。
【０００７】
この構成によれば、摩擦部と着用者の皮膚との間の摩擦力によって、皮膚が伸展しにくくなり、その部分の動きが妨げられる。そのため、通常よりも大きな力で筋肉を動かすことになり、トレーニング効果やリハビリテーション効果が向上する。
【０００８】
本発明の少なくともいくつかの実施形態は、上記構成において、当該コンプレッションウェアは、前記本体部よりも緊締力が大きく、前記摩擦部よりも静摩擦係数が小さい緊締部（６，７）を更に有する上衣（２）であり、前記少なくとも１つの関節は、前記摩擦部に上部から外側部にかけての部位の少なくとも一部が覆われた肩関節を含み、前記着用者に着用された時に、前記緊締部が、前記肩関節を覆う前記摩擦部に連結するように前記着用者の肩甲骨の少なくとも一部を覆うとともに、左右の前記肩甲骨間の少なくとも一部を覆うように構成されたことを特徴とする。伸び率が最も低い方向において、前記緊締部の伸び率が、前記本体部の伸び率の５％〜４０％であることが好ましい。
【０００９】
この構成によれば、肩及び肩甲骨を動かす筋肉のトレーニング効果又はリハビリテーション効果が向上する。
【００１０】
本発明の少なくともいくつかの実施形態は、上記の第１の構成において、当該コンプレッションウェアは上衣であり、前記少なくとも１つの関節は、前記摩擦部に上部から外側部にかけての部位の少なくとも一部が覆われた肩関節を含み、更に、前記摩擦部が、前記肩関節を覆う前記摩擦部に連結するように前記着用者の肩甲骨の少なくとも一部を覆うとともに、左右の前記肩甲骨間の少なくとも一部を覆うように構成されたことを特徴とする。
【００１１】
この構成によれば、肩及び肩甲骨を動かす筋肉のトレーニング効果又はリハビリテーション効果が向上する。
【００１２】
本発明の少なくともいくつかの実施形態は、上記の第１の構成において、当該コンプレッションウェアは下衣（３）であり、前記摩擦部が、前記着用者の膝関節の前面及び／又は股関節の後面の少なくとも一部を覆うことを特徴とする。
【００１３】
この構成によれば、膝又は股関節を動かす筋肉のトレーニング効果又はリハビリテーション効果が向上する。
【発明の効果】
【００１４】
本発明によれば、トレーニング効果を高め、リハビリテーションにも利用可能なコンプレッションウェアを提供することができる。
【図面の簡単な説明】
【００１５】
【図１】実施形態に係るコンプレッションウェアを示す（Ａ）上衣の正面図、（Ｂ）上衣の背面図、（Ｃ）下衣の正面図、（Ｄ）下衣の側面図、（Ｅ）下衣の背面図
【図２】大きな抵抗を受ける運動の方向を示す矢印を図１に重ねた説明図
【図３】実施形態の変形例に係るコンプレッションウェアの上衣を示す図
【図４】実施形態の変形例に係るコンプレッションウェアの下衣を示す図
【図５】実施例及び比較例に関する筋電図データを時系列で示す図
【図６】実施例及び比較例に関する筋電図データを累計で示す図
【発明を実施するための形態】
【００１６】
以下、図面を参照して本発明の実施形態について説明する。図１及び図２に示すように、実施形態に係るコンプレッションウェア１は、全体として着用者に密着するように伸縮性を有する生地によって構成され、上衣２及び下衣３の何れの形態にも適用できる。
【００１７】
上衣２は、Ｔシャツ形状であり、着用者の胸部、腹部、肩、上腕及び肘を覆い、着用者の首、腰部及び前腕を通す位置に開口が設けられている。下衣３は、タイツ形状であり、着用者の腰部、大腿部及び膝を覆い、着用者の腰部の上端側及び下腿部を通す位置に開口が設けられている。図は、袖及び股下が７部丈のものを示している。
【００１８】
コンプレッションウェア１は、本体部４と、摩擦係数及び緊締力が本体部４よりも大きい摩擦部５と、本体部４よりも緊締力が大きい第１緊締部６及び第２緊締部７とを有する。本体部４、摩擦部５、第１緊締部６及び第２緊締部７は、それぞれ、概ね左右対称に配置される。また、下衣３は、腰部の開口に沿って延在してゴムを含むベルト部８を有する。
【００１９】
本体部４は、コンプレッションウェア１において、摩擦部５、第１緊締部６、第２緊締部７及びベルト部８以外の部分を占める。本体部４の生地として、例えば、ポリウレタンが混合されたポリエステルを使用することができる。
【００２０】
左右それぞれにおいて、上衣２の摩擦部５は、肩の上面から上腕の外側を通り肘に至る部位を覆うように延在し、下衣３の摩擦部５は、膝を覆うように上下に延在している。静摩擦係数及び動摩擦係数が最も大きい方向において、摩擦部５の静摩擦係数及び動摩擦係数が、それぞれ、本体部４の静摩擦係数及び動摩擦係数の１．２倍〜３倍であることが好ましく、１．５倍〜２倍であることが更に好ましい。また、伸び率が最も低い方向、すなわち、緊締力が最も強い方向において、摩擦部５の伸び率が、本体部４の伸び率の０．１倍〜０．８倍であることが好ましく、０．４倍〜０．８倍であることが更に好ましい。伸び率は、所定の幅及び長さを有する試験片を所定の力で引っ張った時、（引張後の長さ−引張前の長さ）／引張前の長さ×１００（％）によって算出される値である。例えば、摩擦部５の生地として、帝人株式会社より市販されているナノフロント（登録商標）を使用することができる。静摩擦係数及び動摩擦係数が最も高い方向並びに伸び率が最も低い方向は、その部位の運動を妨げるのに最も効果的な方向であり、本実施形態では摩擦部５の延在方向（長手方向）に概ね一致している。
【００２１】
上衣２の第１緊締部６は、後面の左右それぞれにおいて、肩に配置された摩擦部５に連結し、肩甲骨上を通過し、ウエスト側部に至るように湾曲して帯状に延在している。下衣３の第１緊締部６は、前面中央を除いて腰部の上側に沿って帯状に延在する部分と、後面の左右それぞれにおいて腰部の帯状部分に連結して股関節を跨ぐように（臀部と大腿部との間を跨ぐように）上下に帯状に延在する部分とを有する。第１緊締部６の延在方向は、伸び率が最も低い方向に概ね一致しており、この方向おいて、第１緊締部６の伸び率は、本体部４の伸び率の０．０５倍〜０．４倍あることが好ましく、０．２倍〜０．４倍であることが更に好ましい。例えば、第１緊締部６の生地として、本体部４の生地に他の生地を重ねたものを使用することができる。肩甲骨、腰部及び股関節条に配置された第１緊締部６では、上下方向が、静摩擦係数及び動摩擦係数が最も高い方向並びに伸び率が最も低い方向である。なお、第１緊締部６を摩擦部５に代えてもよい。
【００２２】
上衣２の第２緊締部７は、前面の左右それぞれにおいて、概ね大胸筋に沿って、内側から外側に向かうにつれて上方に向かうように斜め方向に延在し、後面において、左右の肩甲骨間に横方向に延在している。下衣３の第２緊締部は、前面の左右それぞれにおいて、股関節を跨ぐように（臀部と大腿部との間を跨ぐように）上下に帯状に延在している。第２緊締部７の延在方向は、伸び率が最も低い方向に概ね一致しており、この方向おいて、第２緊締部７の伸び率は、本体部４の伸び率の０．０５倍〜０．４倍あることが好ましく、０．０５倍〜０．２倍であることが更に好ましい。例えば、第２緊締部７の生地として、本体部４の生地に転写シートを貼り付けたものを使用することができる。転写シートが延在する方向では緊締力が非常に大きいため、複数の線状の転写シートを緊締力を働かせたい方向（肩甲骨間では横方向、股関節上では上下方向）に延在させて貼り付けることが好ましい。このように配置することで、これに直交する方向の緊締力が弱くなり、着心地の悪化を抑制できる。また、第２緊締部７を、摩擦部５又は第１緊締部６に代えてもよい。
【００２３】
関節や肩甲骨を動かすと、その表面及び周囲の皮膚が伸びる。個人差もあるが、肩関節及び肩甲骨を動かしたときの横方向の皮膚伸展率（伸展後の長さ／伸展前の長さ×１００）は、背中の中心付近で約１１０％、肩甲骨付近で約１４０％、肩後部及び肩前部で約１２０％、大胸筋付近で約１５０％である。また、肘の縦方向の皮膚伸展率は、肘の近傍で約１４０％、肘から前腕及び上腕の約１／３程度の長さだけ離れた部分で約１１５％である。本実施形態のコンプレッションウェア１では、このように皮膚伸展率の高い肩、肘及び膝の皮膚を摩擦部５が覆っている。摩擦部５は、摩擦係数が高く、かつ緊締力が大きいため着用者の皮膚に密着し、着用者の皮膚との間に大きな摩擦力を生じさせる。その摩擦力によって、皮膚が伸展しにくくなり、その部分の動きが妨げられる。よって、通常よりも大きな力を筋肉に加えなければ、摩擦部５で覆われた部分を動かすことができない。このように、通常よりも大きな力で筋肉を動かすため、トレーニング効果が高まり、リハビリテーション効果を期待できる。
【００２４】
また、摩擦部５、第１緊締部６及び第２緊締部７の緊締力が、着用者の動きを妨げる方向に加わるため、トレーニング効果やリハビリテーション効果を期待できる。例えば、図２（Ａ）に矢印で示すように、肩を前方に押し出すと、図２（Ｂ）に矢印で示すように、左右の肩甲骨が互いに離れるように変位する。この時、左右の肩甲骨間に延在する第２緊締部７がこの動きを妨げるように働く。また、大腿部を後方に反らすように股関節を屈曲させると、図２（Ｃ）の上部の矢印で示すように股関節の前方に配置された第２緊締部７の緊締力がその動きを妨げるように働く。同様に、大腿部を前方に上げるように股関節を屈曲させると、図２（Ｅ）の矢印で示すように股関節の後方に配置された第１緊締部６の緊締力がその動きを妨げるように働く。また、膝を屈曲させると、図２（Ｃ）の下部の矢印で示すように膝関節の前方に配置された摩擦部５の緊締力がその動きを妨げるように働く。このように、各部を動かすには、通常よりも大きな力で筋肉を動かす必要があるため、トレーニング効果やリハビリテーション効果を期待できる。
【００２５】
なお、後面の左右において、肩甲骨を通るように縦方向に延在する第１緊締部６は、肩甲骨の動きや、胴体の屈曲を妨げるように働き、その部分の筋肉を動かすときの力を大きくさせている。また、腰部に沿って延在する第１緊締部６は、骨盤の姿勢を安定させるとともに、後面においてこれに連結して股関節を跨ぐ第１緊締部６がずり落ちることを抑制している。
【００２６】
摩擦部５は、皮膚との摩擦力が高いため着用者に不快感を与える。上記実施形態では、肩から肘にかけての部分と膝部に摩擦部５が設けられているが、本体部４、第１緊締部６及び第２緊締部７が占める合計面積が、摩擦部５が占める面積に比べて広いので不快感を軽減している。また、腹部の圧迫は着床者に不快感を与えるとともに呼吸を阻害し得るが、腹部に配置された本体部は、比較的緊締力が弱いため、不快感を軽減し、呼吸を阻害しない。
【００２７】
図３及び図４は、上記実施形態の変形例を示す。図３に示す上衣２の変形例では、それぞれ、左右の肩から肘にかけての部分に摩擦部５が設けられている点は上記実施形態と同様であるが、上衣２の後面に、第１緊締部６及び第２緊締部７に代えて摩擦部５が設けられている点で上記実施形態と異なる。図４に示す下衣３の変形例では、それぞれ、摩擦部５が膝だけでなく股関節の動きを制限するように配置されている点で上記実施形態と異なる。
【００２８】
図３（Ａ）に示す変形例では、上衣２の後面において、摩擦部５が、左右の肩に設けられた摩擦部５に連結して肩甲骨上を通るように横方向に延在する。このように摩擦部５が上衣２の後面に設けられているため、その摩擦力及び緊締力により、肩や肩甲骨を動かすために必要な力が増大し、トレーニング効果が高まり、リハビリテーション効果を期待できる。
【００２９】
図３（Ｂ）に示す変形例では、上衣２の後面において、摩擦部５が、十字状に設けられ、左右の肩に設けられた摩擦部５に連結して肩甲骨上を通るように横方向に延在するとともに、背骨に沿って縦方向に延在している。図３（Ｃ）に示す変形例では、上衣２の後面において、摩擦部５が、Ｙ字状に設けられており、背骨に沿って延在する部分の上端が２つに分かれ、肩甲骨上を通って左右の肩に設けられた摩擦部５に連結している。図３（Ｄ）に示す変形例では、上衣２の後面において、摩擦部５が、左右の肩に設けられた摩擦部５に連結して肩甲骨上を通るように下方に向かう左右２つの部分と、肩甲骨の位置と同じ高さでその左右２つの部分に連結するように横方向に延在する部分とを有する。図３（Ｂ）〜（Ｄ）に示す変形例では、その摩擦力及び緊締力により、肩や肩甲骨を動かすために必要な力と、胴体を屈曲させるように動かすために必要な力とが増大し、トレーニング効果が高まり、リハビリテーション効果を期待できる。
【００３０】
図４（Ａ）に示す変形例では、前面及び後面のそれぞれの左右に、ベルト部８から下端に至る帯状の摩擦部５が設けられている。図４（Ｂ）に示す変形例では、摩擦部５は、左右それぞれに、前面の腰部中央付近から股関節の前方及び大腿部の後面を横切り大腿部の内側に至る螺旋状の部分と、ベルト部８の後面の中央から股関節の後方及び膝の前方を通って下腿部の内側に至る螺旋状の部分とを有する。図４（Ａ）及び（Ｂ）に示す変形例では、その摩擦力及び緊締力により、膝及び股関節を動かすために必要な力が増大し、トレーニング効果が高まり、リハビリテーション効果を期待できる。
【００３１】
図４（Ｃ）に示す変形例では、左右それぞれに、１本の帯が後面のベルト部８から下方に向かい、股関節の後方を通過した後に２つに分かれて斜め下方に向かい、２つに分かれた帯が膝の前方で１つになり、前面の下端に至るように摩擦部５を配置する。図４（Ｃ）に示す変形例では、その摩擦力及び緊締力により、膝を動かすための力、及び大腿部を前方に上げるように股関節を動かすための力が増大し、トレーニング効果が高まり、リハビリテーション効果を期待できる。
【実施例】
【００３２】
ＤＳ式試験機を使用して、本体部４（図１（Ａ）のａ部）及び摩擦部５（図１（Ｃ）のｃ部）の摩擦係数を測定した。測定結果を表１に示す。
【００３３】
【表１】
2019157287.tif 000003
【００３４】
また、ＪＩＳ−Ｌ１０９６に従って、本体部４（図１（Ａ）のａ部）、摩擦部５（図１（Ｃ）のｃ部）、第１緊締部６（図１（Ｅ）のｄ部）及び第２緊締部７（図１（Ｂ）のｂ）の伸び率（％）を測定した。測定結果を表２に示す。
【００３５】
【表２】
2019157287.tif 000004
【００３６】
上記実施形態のコンプレッションウェア１に相当する実施例と、ベルト部８を除いて全体が本体部４の生地で作成された比較例とについて、運動時の胸部及び大腿部の筋肉の電位の変化を測定した。同一被験者が、実施例及び比較例に係るウェアをそれぞれ着用し、所定の運動を行い、その時の筋肉の電位の変化を測定した。
【００３７】
図５は、測定結果を示す筋電図であり、縦軸が電位の変化を示し、横軸が時間（秒）を示す。図６は、試験開始３秒後から１２秒後までの電位変化の絶対値の累計を示す。図５及び図６に示すように、比較例に比べて実施例に係るコンプレッションウェア１を着用すると、運動負荷が約５０％増大した。
【００３８】
以上で具体的実施形態の説明を終えるが、本発明は上記実施形態に限定されることなく幅広く変形実施することができる。袖及び股下の長さは変更してもよく、肘や膝に摩擦力及び／又は緊締力を負荷する必要がなければ、肘や膝を覆わなくてもよい。摩擦部、第１緊締部及び第２緊締部の幅は適宜変更してもよい。
【符号の説明】
【００３９】
１：コンプレッションウェア
２：上衣
３：下衣
４：本体部
５：摩擦部
６：第１緊締部
７：第２緊締部
８：ベルト部
【図１】
2019157287.tif 000005
【図２】
2019157287.tif 000006
【図３】
2019157287.tif 000007
【図４】
2019157287.tif 000008
【図５】
2019157287.tif 000009
【図６】
2019157287.tif 000010